(57)【要約】【課題】簡単な構成で且つデジタルアンプから放射される電磁波によるＡＭラジオへの電波干渉の小さいオーディオ装置等を提供する。【解決手段】ラジオチューナ１４０は、ＡＭラジオ放送を受信する。セレクタ１８０は、光ディスク再生装置１６０からのデジタル音声信号を取得する。サンプリング周波数変換回路１９０は、取得されたデジタル音声信号のサンプリング周波数を所定のサンプリング周波数に変換する。デジタルアンプ２００は、所定のサンプリング周波数の整数倍のスイッチング周波数であって、そのスイッチング周波数の整数倍の周波数とラジオチューナ１４０による受信信号の周波数との差が所定の閾値以上となるスイッチング周波数を選択し、選択したスイッチング周波数で、サンプリング周波数が変換されたデジタル音声信号を増幅する。【選択図】図１
2012089957.tif 000002
【特許請求の範囲】
【請求項１】
放送を受信する放送受信部と、
前記放送受信部を含む複数の音源からのデジタル音声信号を取得する取得部と、
前記取得部によって取得されたデジタル音声信号のサンプリング周波数を所定のサンプリング周波数に変換するサンプリング周波数変換部と、
前記所定のサンプリング周波数の整数倍のスイッチング周波数であって、そのスイッチング周波数の整数倍の周波数と前記放送受信部による受信信号の周波数との差が所定の閾値以上となるスイッチング周波数を選択し、選択したスイッチング周波数で、前記サンプリング周波数変換部によってサンプリング周波数が変換されたデジタル音声信号を増幅するデジタル増幅部と、
を備えることを特徴とするオーディオ装置。
【請求項２】
前記サンプリング周波数変換部は、
前記取得部によって取得されたデジタル音声信号のサンプリング周波数が前記所定のサンプリング周波数に等しい場合には、入力したデジタル音声信号をそのまま前記デジタル増幅部に出力し、
前記取得部によって取得されたデジタル音声信号のサンプリング周波数が前記所定のサンプリング周波数に等しくない場合には、入力したデジタル音声信号のサンプリング周波数を前記所定のサンプリング周波数に変換する、
ことを特徴とする請求項１に記載のオーディオ装置。
【請求項３】
前記デジタル増幅部は、
前記放送受信部の受信周波数とスイッチング周波数とを対応付けて記憶する記憶部と、
前記受信周波数に対応するスイッチング周波数を、前記記憶部に記憶されているスイッチング周波数のうちから選択し、選択したサンプリング周波数で、前記サンプリング周波数変換部によってサンプリング周波数が変換されたデジタル音声信号を増幅する増幅部と、
を備えることを特徴とする請求項１又は２に記載のオーディオ装置。
【請求項４】
前記放送受信部は、ＡＭ放送を受信する、
ことを特徴とする請求項１乃至３のいずれか１項に記載のオーディオ装置。
【請求項５】
前記デジタル増幅部は、
選択されたスイッチング周波数を有するクロック信号に従って、サンプリング周波数変換後のデジタル音声信号をパルス幅変調してＰＷＭ信号を生成する手段と、
生成されたＰＷＭ信号を増幅する増幅手段と、
増幅されたＰＷＭ信号からアナログオーディオ信号を生成する手段と、
を備えることを特徴とする請求項１乃至４のいずれか１項に記載のオーディオ装置。
【請求項６】
前記放送受信部は、受信周波数をスキャンするスキャン手段を備え、
前記デジタル増幅部は、前記スキャン手段による受信周波数の変化に応じて、スイッチング周波数を変化させる、
ことを特徴とする請求項１乃至５のいずれか１項に記載のオーディオ装置。
【請求項７】
前記放送受信部は、
受信した放送信号の強度を測定する強度測定手段と、
前記強度測定手段により測定された強度が所定の基準レベル以上のときに、受信周波数をプリセットする手段と、
を備えることを特徴とする請求項６に記載のオーディオ装置。
【請求項８】
前記放送受信部は、
ラジオ放送電波を受信する電波受信手段と、
前記電波受信手段で受信したラジオ放送電波の信号強度を測定する測定手段と、
前記測定手段により測定された信号強度が所定の基準を満たすときに、有線ネットワークを介して、受信したラジオ放送に対応する情報の送信元と通信する有線通信手段と、
をさらに備えることを特徴とする請求項１乃至７のいずれか１項に記載のオーディオ装置。
【請求項９】
放送を受信する受信工程と、
デジタル音声信号を生成する工程と、
生成されたデジタル音声信号のサンプリング周波数を所定のサンプリング周波数に変換するサンプリング周波数変換工程と、
前記所定のサンプリング周波数の整数倍のスイッチング周波数であって、そのスイッチング周波数の整数倍の周波数と前記受信工程による受信信号の周波数との差が所定の閾値以上となるスイッチング周波数を選択し、選択したスイッチング周波数で、サンプリング周波数変換後のデジタル音声信号を増幅する工程と、
を備えることを特徴とするオーディオ信号増幅方法。
【発明の詳細な説明】
【技術分野】
【０００１】
本発明は、オーディオ装置及びオーディオ信号増幅方法に関する。
【背景技術】
【０００２】
ＡＭ（Amplitude Modulation）方式のラジオ放送（以下、ＡＭラジオ放送という。）を受信する際に、デジタルアンプのＰＷＭ（Pulse Width Modulation）モジュレータ等のスイッチング回路で発生する電磁波により、電波干渉が生じ、音声を適切に再生できなくなる場合がある。
このような不都合を解消するため、スイッチング回路のスイッチング周波数の整数倍が、ＡＭラジオの受信周波数帯域に属する場合、スイッチング周波数を変更する技術が提案されている（例えば、特許文献１を参照）。
【先行技術文献】
【特許文献】
【０００３】
【特許文献１】特開２００７−０６８２６６号公報
【発明の概要】
【発明が解決しようとする課題】
【０００４】
一方、デジタルアンプのスイッチング周波数は、増幅する音声信号のサンプリング周波数に依存する。このため、ＡＭラジオ放送を録音しつつ、他の音源（ＣＤ、ＤＶＤ等）を再生する場合、他の音源（ＣＤ、ＤＶＤ等）のサンプリング周波数毎にスイッチング周波数を変更する必要があり、ＡＭラジオへの電波干渉を少なくするための構成が複雑で処理が煩雑であった。
【０００５】
本発明は、上記実情に鑑みてなされたものであり、簡単な構成で且つデジタルアンプから放射される電磁波によるＡＭラジオへの電波干渉の小さいオーディオ装置及びオーディオ信号増幅方法を提供することを目的とする。
また、本発明は、ノイズが小さく簡単な構成のラジオ受信機能を備えるオーディオ装置及びオーディオ信号増幅方法を提供することを目的とする。
【課題を解決するための手段】
【０００６】
上記目的を達成するため、本発明の第１の観点に係るオーディオ装置は、
放送を受信する放送受信部と、
前記放送受信部を含む複数の音源からのデジタル音声信号を取得する取得部と、
前記取得部によって取得されたデジタル音声信号のサンプリング周波数を所定のサンプリング周波数に変換するサンプリング周波数変換部と、
前記所定のサンプリング周波数の整数倍のスイッチング周波数であって、そのスイッチング周波数の整数倍の周波数と前記放送受信部による受信信号の周波数との差が所定の閾値以上となるスイッチング周波数を選択し、選択したスイッチング周波数で、前記サンプリング周波数変換部によってサンプリング周波数が変換されたデジタル音声信号を増幅するデジタル増幅部と、
を備えることを特徴とする。
【０００７】
前記サンプリング周波数変換部は、
前記取得部によって取得されたデジタル音声信号のサンプリング周波数が前記所定のサンプリング周波数に等しい場合には、入力したデジタル音声信号をそのまま前記デジタル増幅部に出力し、
前記取得部によって取得されたデジタル音声信号のサンプリング周波数が前記所定のサンプリング周波数に等しくない場合には、入力したデジタル音声信号のサンプリング周波数を前記所定のサンプリング周波数に変換してもよい。
【０００８】
前記デジタル増幅部は、
前記放送受信部の受信周波数とスイッチング周波数とを対応付けて記憶する記憶部と、
前記受信周波数に対応するスイッチング周波数を、前記記憶部に記憶されているスイッチング周波数のうちから選択し、選択したサンプリング周波数で、前記サンプリング周波数変換部によってサンプリング周波数が変換されたデジタル音声信号を増幅する増幅部と、
を備えてもよい。
【０００９】
前記放送受信部は、ＡＭ放送を受信してもよい。
【００１０】
前記デジタル増幅部は、
選択されたスイッチング周波数を有するクロック信号に従って、サンプリング周波数変換後のデジタル音声信号をパルス幅変調してＰＷＭ信号を生成する手段と、
生成されたＰＷＭ信号を増幅する増幅手段と、
増幅されたＰＷＭ信号からアナログオーディオ信号を生成する手段と、
を備えてもよい。
【００１１】
前記放送受信部は、受信周波数をスキャンするスキャン手段を備え、
前記デジタル増幅部は、前記スキャン手段による受信周波数の変化に応じて、スイッチング周波数を変化させてもよい。
【００１２】
前記放送受信部は、
受信した放送信号の強度を測定する強度測定手段と、
前記強度測定手段により測定された強度が所定の基準レベル以上のときに、受信周波数をプリセットする手段と、
を備えてもよい。
【００１３】
前記放送受信部は、
ラジオ放送電波を受信する電波受信手段と、
前記電波受信手段で受信したラジオ放送電波の信号強度を測定する測定手段と、
前記測定手段により測定された信号強度が所定の基準を満たすときに、有線ネットワークを介して、受信したラジオ放送に対応する情報の送信元と通信する有線通信手段と、
をさらに備えてもよい。
【００１４】
また、本発明の第２の観点に係るオーディオ信号増幅方法は、
放送を受信する受信工程と、
デジタル音声信号を生成する工程と、
生成されたデジタル音声信号のサンプリング周波数を所定のサンプリング周波数に変換するサンプリング周波数変換工程と、
前記所定のサンプリング周波数の整数倍のスイッチング周波数であって、そのスイッチング周波数の整数倍の周波数と前記受信工程による受信信号の周波数との差が所定の閾値以上となるスイッチング周波数を選択し、選択したスイッチング周波数で、サンプリング周波数変換後のデジタル音声信号を増幅する工程と、
を備えることを特徴とする。
【発明の効果】
【００１５】
本発明によれば、簡単な構成でスイッチング回路から発生する電磁波によるＡＭラジオへの電波干渉を小さくすることができる。
【図面の簡単な説明】
【００１６】
【図１】本発明の実施形態１に係るオーディオ装置の構成を示すブロック図である。
【図２】図１に示すセレクタの構成を示す回路図である。
【図３】図１に示すサンプリング周波数変換回路の構成を示す回路図である。
【図４】図１に示すデジタルアンプの構成を示すブロック図である。
【図５】（ａ）は、図４に示すＰＷＭモジュレータの構成を示すブロック図であり、（ｂ）は変換テーブルの一例を示す図である。
【図６】図４に示すパワーステージの構成を示すブロック図である。
【図７】マイコンが実行する再生制御処理を説明するためのフローチャートである。
【図８】ＰＷＭ制御部が実行するクロック周波数変更処理を説明するためのフローチャートである。
【図９】本発明の実施形態２に係るオーディオ装置のマイコンが実行する受信周波数プリセット処理を説明するためのフローチャートである。
【図１０】実施形態２のオーディオ装置で設定される変換テーブルの例を示す図である。
【図１１】本発明の実施形態３に係るオーディオ装置のマイコンが実行するＩＰラジオ受信処理を説明するためのフローチャートである。
【発明を実施するための形態】
【００１７】
以下、本発明の実施形態に係るオーディオ装置１０を、図面を参照して説明する。
【００１８】
（実施形態１）
本実施形態に係るオーディオ装置１０は、音声を再生する装置であって、図１に示すように、マイコン（Microcomputer）１１０と、操作部１２０と、表示部１３０と、ラジオチューナ１４０と、テレビジョンチューナ１５０と、光ディスク再生装置１６０と、ＨＤＤ（Hard Disk Drive；ハードディスク装置）１７０と、セレクタ１８０と、サンプリング周波数変換回路１９０と、デジタルアンプ２００と、スピーカ２１０と、を備える。
【００１９】
マイコン（制御部）１１０は、ＣＰＵ（Central Processing Unit）、内部メモリ等から構成され、表示部１３０、ラジオチューナ１４０、テレビジョンチューナ１５０、光ディスク再生装置１６０、ＨＤＤ１７０、セレクタ１８０、サンプリング周波数変換回路１９０、デジタルアンプ２００を制御する。マイコン１１０が実行する制御の詳細については、後述する。
【００２０】
操作部１２０は、操作ボタン等を備え、ユーザの操作に応じた操作信号をマイコン１１０に供給する。
【００２１】
表示部１３０は、ＬＣＤ（Liquid Crystal Display）等から構成され、マイコン１１０の制御下、様々な画像を表示する。
【００２２】
ラジオチューナ１４０は、マイコン１１０の制御下、ＡＭ（Amplitude Modulation）／ＦＭ（Frequency Modulation）方式のラジオ放送を受信し、受信した放送信号を復調する。ラジオチューナ１４０は、復調された放送信号をＡ／Ｄ変換し、変換して得られたデジタル信号をセレクタ１８０に供給する。
【００２３】
テレビジョンチューナ１５０は、マイコン１１０の制御下、テレビジョン放送を受信し、受信した放送信号を復調する。テレビジョンチューナ１５０は、復調された放送信号をＡ／Ｄ変換し、変換して得られたデジタル信号をセレクタ１８０に供給する。
【００２４】
光ディスク再生装置１６０は、マイコン１１０の制御下、ＣＤ（Compact Disc）、ＤＶＤ（Digital Versatile Disc）、ＢＤ（Blu-ray Disc）等の光ディスクを再生する。光ディスク再生装置１６０は、再生して得られたデジタル信号をセレクタ１８０に供給する。
【００２５】
ＨＤＤ１７０は、マイコン１１０の制御下、磁気ディスクを再生し、再生したデジタル音声信号をセレクタ１８０に供給する。また、ＨＤＤ１７０は、マイコン１１０の制御下、セレクタ１８０から供給された他の音源からのデジタル信号を磁気ディスクに記憶する。
【００２６】
セレクタ１８０は、マイコン１１０の制御下、音源を選択する回路であり、具体的には、ラジオチューナ１４０、テレビジョンチューナ１５０、光ディスク再生装置１６０、ＨＤＤ１７０のいずれか１つと、サンプリング周波数変換回路１９０とを接続する。
また、セレクタ１８０は、マイコン１１０の制御下、ラジオチューナ１４０、テレビジョンチューナ１５０、光ディスク再生装置１６０と、ＨＤＤ１７０とを接続する。
【００２７】
セレクタ１８０は、図２に示すように、スイッチＳＷ１及びＳＷ２を備える。スイッチＳＷ１は、マイコン１１０から供給される録音接続指示信号に従って、ラジオチューナ１４０又はテレビジョンチューナ１５０の出力端と、ＨＤＤ１７０の入力端とを切り替えて接続する。一方、スイッチＳＷ２は、マイコン１１０から供給される再生接続指示信号に従って、ラジオチューナ１４０、テレビジョンチューナ１５０、光ディスク再生装置１６０、ＨＤＤ１７０のいずれか１つと、サンプリング周波数変換回路１９０とを切り替えて接続する。
【００２８】
図１に示すサンプリング周波数変換回路１９０は、マイコン１１０の制御下、セレクタ１８０から供給されるデジタル音声信号のサンプリング周波数（サンプリングレート）を各種サンプリング周波数に変換する。例えばラジオチューナ１４０がラジオ放送を受信しているときのデジタルアンプ２００へ入力されるサンプリング周波数が４８（ｋＨｚ）に固定された場合には、セレクタ１８０から供給される音声信号のサンプリング周波数が４８（ｋＨｚ）である場合、デジタル音声信号をそのままデジタルアンプ２００に供給し、セレクタ１８０から供給されるデジタル音声信号のサンプリング周波数が４８（ｋＨｚ）以外の場合には、サンプリング周波数を４８（ｋＨｚ）に変換し、デジタルアンプ２００に供給する。
【００２９】
サンプリング周波数変換回路１９０は、図３に示すように、スイッチの一例としてのｎＭＯＳ（negative channel Metal Oxide Semiconductor）トランジスタＴＮと、サンプリング周波数変換器１９１とが並列に接続されて構成される。
トランジスタＴＮは、マイコン１１０から供給されるサンプリング周波数変換制御信号がハイレベルのときオンして導通し、セレクタ１８０から供給されたデジタル音声信号をそのままデジタルアンプ２００に供給する。一方、トランジスタＴＮは、サンプリング周波数変換制御信号がローレベルのときオフとなり非導通となる。
また、サンプリング周波数変換器１９１は、サンプリング周波数変換制御信号がハイレベルのときには動作せず、サンプリング周波数変換制御信号がローレベルのときに動作し、セレクタ１８０から供給されたデジタル音声信号のサンプリング周波数を４８（ｋＨｚ）に変換し、変換したデジタル音声信号をデジタルアンプ２００に供給する。なお、サンプリング周波数を４８（ｋＨｚ）とする理由は、ラジオチューナ１４０が出力するＡＭラジオ受信信号のサンプリング周波数（ラジオチューナ１４０のＡ／Ｄ変換器のサンプリング周波数）に一致させるためである。
また、サンプリング周波数変換器１９１は、マイコン１１０により制御されることによってデジタル音声信号に対する各種処理を行うＤＳＰ（Digital Signal Processor）によって実現してもよい。
【００３０】
図１に示すデジタルアンプ２００は、マイコン１１０の制御下、サンプリング周波数変換回路１９０から供給されたデジタル音声信号を増幅し、アナログ音声信号に変換する。デジタルアンプ２００は、変換によって得られたアナログ音声信号をスピーカ２１０に供給して音声を出力させる。
【００３１】
デジタルアンプ２００は、図４に示すように、ＰＷＭモジュレータ２０１とパワーステージ２０２とから構成される。
【００３２】
ＰＷＭモジュレータ２０１は、図５（ａ）に示すように、ＰＷＭ制御部２０１１と、クロック生成回路２０１２と、ＰＷＭ信号生成回路２０１３と、変換テーブル２０１４とから構成され、マイコン１１０の制御下、サンプリング周波数変換回路１９０から供給されたデジタル音声信号をＰＷＭ信号に変調する。
【００３３】
ＰＷＭ制御部２０１１は、プロセッサ等から構成され、マイコン１１０から供給されるＡＭ放送受信中信号がオンのときに、ＡＭ放送受信中信号に含まれている受信周波数に対応するスイッチング周波数を変換テーブル２０１４から読み出し、クロック生成回路２０１２に通知する。一方、ＰＷＭ制御部２０１１は、ＡＭ放送受信中信号がオフのときには、所定のスイッチング周波数（デフォルト値）をクロック生成回路２０１２に通知する。
また、ＰＷＭ制御部２０１１は、マイコン１１０によって実現されてもよい。
【００３４】
クロック生成回路２０１２は、水晶発振器、分周器等から構成され、ＰＷＭ制御部２０１１から通知されたスイッチング周波数に等しい周波数のクロック信号ＣＬＫを生成し、ＰＷＭ信号生成回路２０１３に供給する。
【００３５】
ＰＷＭ信号生成回路２０１３は、クロック生成回路２０１２から供給されたクロック信号ＣＬＫに同期して動作し、サンプリング周波数変換回路１９０から供給されたデジタル音声信号の値（ＰＣＭ値等）に対応するパルス幅を有するＰＷＭ信号を生成し、生成したＰＷＭ信号をパワーステージ２０２に供給する。
【００３６】
変換テーブル２０１４は、図５（ｂ）に示すように、受信周波数とこのデジタルアンプ２００のスイッチング周波数とを対応付けて記憶する。ここで、スイッチング周波数は、サンプリング周波数変換回路１９０による変換後のサンプリング周波数４８（ｋＨｚ）のＮ倍（Ｎ：自然数）に設定されている。自然数Ｎは、スイッチング動作により発生する電磁波がＡＭラジオ放送に電波干渉しないように、スイッチング周波数の整数倍の周波数が受信周波数帯域に属しない（一致しない）ように予め設定されている。より詳細には、自然数Ｎは、スイッチング周波数の整数倍の周波数と受信周波数との差が所定の閾値Ｔｈ以上となるように選択されて予め設定されている。
【００３７】
例えば、閾値Ｔｈ＝１０（ｋＨｚ）とすると、受信周波数＝７６５（ｋＨｚ）の場合、Ｎ＝８とすると、スイッチング周波数＝４８×８＝３８４（ｋＨｚ）となり、スイッチング周波数×２−受信周波数＝３（ｋＨｚ）＜閾値Ｔｈ＝１０（ｋＨｚ）となり、ＡＭラジオ放送への電波干渉が生じ、ＡＭ放送の再生音にノイズが混入するおそれがある。
そこで、変換テーブル２０１４では、図５（ｂ）に示すように、受信周波数＝７６５（ｋＨｚ）については、Ｎ＝９に設定し、スイッチング周波数＝４８×９＝４３２（ｋＨｚ）に設定している。このように設定することにより、スイッチング周波数×２−受信周波数＝９９（ｋＨｚ）≧閾値Ｔｈ＝１０（ｋＨｚ）となり、ＡＭラジオ放送への電波干渉が防止される。
【００３８】
また、サンプリング周波数変換回路１９０により、デジタル音声信号のサンプリング周波数が４８（ｋＨｚ）に変換されるため、変換テーブル２０１４は、スイッチング周波数として４８（ｋＨｚ）の倍数のみを記憶している。
【００３９】
図４に示すパワーステージ（最終出力段）２０２は、図６に示すように、電力増幅回路２０２１とローパスフィルタ（ＬＰＦ）２０２２とから構成され、ＰＷＭモジュレータ２０１から供給されたＰＷＭ信号をアナログ信号に変換し、変換よって得られたアナログ信号を音声としてスピーカ２１０から出力する。
【００４０】
電力増幅回路２０２１は、トランジスタ回路等から構成され、ＰＷＭ信号生成回路２０１３から供給されたＰＷＭ信号を電力増幅する。
【００４１】
ＬＰＦ２０２２は、増幅されたＰＷＭ信号のうちカットオフ周波数以上の高周波成分を減衰させ、カットオフ周波数以下の低周波成分を通過させることにより、ＰＷＭ信号をアナログオーディオ信号に変換し、スピーカ２１０に供給する。
【００４２】
図１に示すスピーカ２１０は、このアナログオーディオ信号により駆動され、放音動作を行う。スピーカ２１０は、イヤホン、ヘッドフォン等を含む。
【００４３】
（動作）
次に、上記構成を有するオーディオ装置１０の動作を説明する。
【００４４】
オーディオ装置１０は、任意の音源を選択して再生したり、任意の音源からの音声データをＨＤＤ１７０に記録したりする等の通常のオーディオ装置と同様の動作を実行可能である。オーディオ装置１０は、その一方で、ＡＭラジオ放送をラジオチューナ１４０で受信しているときに、デジタルアンプ２００のスイッチング周波数を、スイッチング動作により発生する電磁波が受信しているＡＭラジオ信号と干渉しない周波数に設定し、ノイズ等を発生させないという特徴的な動作を行う。
【００４５】
以下、この特徴的な動作を中心に説明する。
まず、マイコン１１０の動作を図７を参照して説明する。
【００４６】
マイコン１１０は、操作部１２０から、ラジオチューナ１４０、テレビジョンチューナ１５０、光ディスク再生装置１６０、ＨＤＤ１７０のいずれかから音声を再生するための再生動作が指示されると、図７に示す再生制御処理を開始する。
【００４７】
まず、マイコン１１０は、指示がＡＭ放送の受信開始の指示であるか又はＡＭ放送を受信中であるか否かを判別する（ステップＳ１）。
【００４８】
マイコン１１０は、指示がＡＭ放送受信開始の指示であるか又は現在ＡＭ放送を受信中であると判別した場合（ステップＳ１；Ｙｅｓ）、新たに再生する音源のサンプリング周波数が４８ｋＨｚであるか否かを判別する（ステップＳ２）。
【００４９】
マイコン１１０は、新たに再生する音源のサンプリング周波数が４８（ｋＨｚ）でないと判別した場合（ステップＳ２；Ｎｏ）、サンプリング周波数変換回路１９０に、サンプリング周波数の変換を指示するローレベルのサンプリング周波数変換制御信号を出力する（ステップＳ３）。これにより、音源から出力されたデジタル音声信号のサンプリング周波数は、サンプリング周波数変換回路１９０により、４８（ｋＨｚ）に変換される。
【００５０】
続いて、マイコン１１０は、ＡＭ放送の受信周波数を含むＡＭ放送受信中信号をデジタルアンプ２００に出力する（ステップＳ４）。これにより、ＰＷＭモジュレータ２０１は、受信中のＡＭ放送と干渉しない周波数のスイッチング周波数を選択し、サンプリング周波数変換後のデジタル音声信号をＰＷＭ信号に変調する。
その後、マイコン１１０は、通常の音源処理に移る。
【００５１】
一方、ステップＳ２で、新たに再生する音源のサンプリング周波数が４８ｋＨｚであると判別した場合（ステップＳ２；Ｙｅｓ）、サンプリング周波数変換回路１９０に、サンプリング周波数の変換を指示しないハイレベルのサンプリング周波数変換制御信号を出力する（ステップＳ５）。これにより、音源から出力されたサンプリング周波数４８（ｋＨｚ）のデジタル音声信号は、そのまま、デジタルアンプ２００に供給される。
続いて、マイコン１１０は、処理を前述のステップＳ４に進める。
【００５２】
また、ステップＳ１で、ＡＭ放送の受信の指定でなく且つＡＭ放送が受信中でないと判別した場合（ステップＳ１；Ｎｏ）、マイコン１１０は、ＡＭ放送受信中信号を非アクティブとし、非アクティブレベルのＡＭ放送受信中信号をデジタルアンプ２００に出力する（ステップＳ６）。
【００５３】
続いて、マイコン１１０は、新たに再生する音源のサンプリング周波数が４８ｋＨｚであるか否かを判別する（ステップＳ７）。
【００５４】
新たに再生する音源のサンプリング周波数が４８（ｋＨｚ）でないと判別した場合（ステップＳ７；Ｎｏ）、サンプリング周波数変換回路１９０に、サンプリング周波数の変換を指示するローレベルのサンプリング周波数変換制御信号を出力する（ステップＳ８）。
一方、ステップＳ７で、新たに再生する音源のサンプリング周波数が４８ｋＨｚであると判別した場合（ステップＳ７；Ｙｅｓ）、サンプリング周波数の変換を指示しないハイレベルのサンプリング周波数変換制御信号を出力する（ステップＳ９）。
また、ステップＳ１においてＡＭ放送の受信の指定でなく且つＡＭ放送が受信中でないと判別した場合（ステップＳ１；Ｎｏ）は、新たに再生する音源のサンプリング周波数が４８ｋＨｚではなくとも、サンプリング周波数変換回路１９０によってサンプリング周波数を変換せずに、デジタルアンプ２００へ出力してもよい。
【００５５】
次に、上記マイコン１１０の動作に基づいて、オーディオ装置１０全体の動作を説明する。なお、以下、理解を容易にするため、上記マイコン１１０の動作を前提として、ＡＭラジオ放送をラジオチューナ１４０で受信し、続いて、受信中のＡＭラジオ放送をＨＤＤ１７０に録音し、録音状態を維持したまま光ディスク再生装置１６０でＣＤを再生する場合を例に、全体の動作を説明する。
【００５６】
（ＡＭラジオ放送の受信）
ＡＭラジオ放送を受信したい場合、ユーザは、操作部１２０を操作して、ＡＭラジオ放送の受信と受信周波数を指定する。
マイコン１１０は、この操作に応答して、まず、受信周波数を含む受信開始信号をラジオチューナ１４０に供給する。さらに、マイコン１１０は、前述の図７の再生制御処理を実行し、ステップＳ１でＹｅｓと判定する。マイコン１１０は、新たに再生する音源であるラジオチューナ１４０のサンプリング周波数が４８（ｋＨｚ）であると判別し（ステップＳ２；Ｙｅｓ）、ハイレベルのサンプリング周波数変換制御信号をサンプリング周波数変換回路１９０に出力し（ステップＳ５）、ＡＭ放送を受信中であることを示すＡＭ放送受信中信号をデジタルアンプ２００のＰＷＭ制御部２０１１に出力する（ステップＳ４）。また、マイコン１１０は、ラジオチューナ１４０とサンプリング周波数変換回路１９０との接続を指示する再生接続指示信号をセレクタ１８０に供給する。
【００５７】
ラジオチューナ１４０は、マイコン１１０から供給された受信開始信号に応答して、指示された受信周波数に同調し、ＡＭ放送の受信を開始し、受信した放送信号を復調する。ラジオチューナ１４０は、復調した放送信号を４８（ｋＨｚ）のサンプリング周波数でＡ／Ｄ変換し、得られたデジタル信号をセレクタ１８０に供給する。
【００５８】
セレクタ１８０は、マイコン１１０から供給された再生接続指示信号に応答して、ラジオチューナ１４０から供給されたデジタル信号をサンプリング周波数変換回路１９０に供給する。
【００５９】
サンプリング周波数変換回路１９０では、マイコン１１０からのハイレベルのサンプリング周波数変換制御信号に応答して、スイッチＴＮが閉じ、供給されたデジタル信号（受信ＡＭ放送信号）をそのままデジタルアンプ２００に供給する。
【００６０】
デジタルアンプ２００のＰＷＭ制御部２０１１は、マイコン１１０から供給されたＡＭ放送受信中信号に応答して、図８に示すクロック周波数変更処理を開始し、まず、ＡＭ放送受信中信号から受信周波数を取得する（ステップＳ１１）。続いて、ＰＷＭ制御部２０１１は、取得した受信周波数に対応するスイッチング周波数を変換テーブル２０１４から取得する（ステップＳ１２）。ＰＷＭ制御部２０１１は、取得したサンプリング周波数をクロック生成回路２０１２に通知する（ステップＳ１３）。
【００６１】
クロック生成回路２０１２は、ＰＷＭ制御部２０１１から通知されたサンプリング周波数に等しい周波数を有するクロック信号ＣＬＫを生成し、ＰＷＭ信号生成回路２０１３に供給する。
【００６２】
ＰＷＭ信号生成回路２０１３は、ＰＷＭ制御部２０１１から供給されたクロック信号ＣＬＫに同期して、サンプリング周波数変換回路１９０から供給されたデジタル信号の値に対応するパルス幅を有するＰＷＭ信号を生成する。ＰＷＭ信号生成回路２０１３は、生成したＰＷＭ信号を電力増幅回路２０２１に供給する。
【００６３】
電力増幅回路２０２１は、ＰＷＭ信号生成回路２０１３から供給されたＰＷＭ信号に応答してスイッチングすることにより、ＰＷＭ信号を増幅し、増幅したＰＷＭ信号をＬＰＦ２０２２に供給する。なお、このスイッチング動作により、電磁波が発生する。ただし、図５（ｂ）に示すように、スイッチング周波数が、受信ＡＭ信号と干渉を起こさない周波数に設定されているので、受信ＡＭ信号にノイズが重畳する等の問題は発生しない。
【００６４】
ＬＰＦ２０２２は、電力増幅回路２０２１から供給されたＰＷＭ信号のうち、所定のカットオフ周波数より低い周波数の信号を通すことによりアナログ信号に変換し、スピーカ２１０から音声を出力する。上述のように、スイッチング周波数が、受信ＡＭ信号と干渉を起こさない周波数に設定されているので、受信周波数にかかわらず、再生音にスイッチング動作に起因するノイズが重畳する等の問題は発生しない。
【００６５】
（ＡＭラジオ放送の録音）
この状態で、ＡＭラジオ放送を録音したい場合、操作部１２０を操作して、ＡＭラジオ放送の録音を指示する。
マイコン１１０は、この操作に応答して、まず、ラジオチューナ１４０とＨＤＤ１７０とを接続する旨の録音接続指示信号をセレクタ１８０に供給する。マイコン１１０は、録音を開始する旨の録音開始信号をＨＤＤ１７０に供給する。
【００６６】
セレクタ１８０は、マイコン１１０から供給された録音接続指示信号に応答して、ラジオチューナ１４０とＨＤＤ１７０とを接続し、ラジオチューナ１４０からのデジタル信号をＨＤＤ１７０に供給する。
【００６７】
ＨＤＤ１７０は、マイコン１１０から供給された録音開始信号に応答して、セレクタ１８０から供給されたデジタル信号を磁気ディスクに記憶する。
【００６８】
（ＣＤの再生）
この状態で、ＣＤの再生を開始したい場合、ユーザは、操作部１２０を操作して、その旨を指示する。
マイコン１１０は、この操作に応答し、まず、光ディスク再生装置１６０にＣＤの再生を指示する。さらに、マイコン１１０は、前述の図７の再生制御処理を実行する。この例では、ＡＭ放送を受信中であるため、ステップＳ１でＹｅｓと判別し、新たに再生する音源であるＣＤのサンプリング周波数が４８（ｋＨｚ）であるか否かを光ディスク再生装置１６０を制御して判別する。ＣＤのサンプリング周波数は４４．１（ｋＨｚ）であり、ステップＳ２でＮｏと判別し、ローレベルのサンプリング周波数変換制御信号をサンプリング周波数変換回路１９０に出力し（ステップＳ３）、ＡＭ放送を受信中であることを示すＡＭ放送受信中信号をデジタルアンプ２００に出力する（ステップＳ４）。また、マイコン１１０は、光ディスク再生装置１６０とサンプリング周波数変換回路１９０との接続を指示する再生接続指示信号をセレクタ１８０に供給する。
【００６９】
光ディスク再生装置１６０は、マイコン１１０からの再生開始信号に応答して、自装置にセットされたＣＤを再生し、再生して得られたデジタル信号をセレクタ１８０を介してサンプリング周波数変換回路１９０に供給する。
【００７０】
サンプリング周波数変換回路１９０は、マイコン１１０から供給されたローレベルのサンプリング変換制御信号に応答して、セレクタ１８０から供給されたデジタル信号のサンプリング周波数を４４．１（ｋＨｚ）から４８（ｋＨｚ）に変換し、ＰＷＭ制御部２０１１に供給する。
【００７１】
ＰＷＭ制御部２０１１は、マイコン１１０から供給されたＡＭ放送受信中信号に応答して、図８に示すクロック周波数変更処理を開始し、受信周波数を取得し（ステップＳ１１）、取得した受信周波数に対応するスイッチング周波数を変換テーブル２０１４から取得し（ステップＳ１２）、クロック生成回路２０１２に通知する（ステップＳ１３）。
【００７２】
クロック生成回路２０１２は、ＰＷＭ制御部２０１１から通知されたスイッチング周波数に等しい周波数のクロック信号ＣＬＫをＰＷＭ信号生成回路２０１３に供給する。
【００７３】
ＰＷＭ信号生成回路２０１３は、４８（ｋＨｚ）の倍数に相当する周波数のクロック信号ＣＬＫに同期して、サンプリング周波数変換回路１９０からのサンプリング周波数変換済のデジタル信号の値に対応するパルス幅を有するＰＷＭ信号を生成し、生成したＰＷＭ信号を電力増幅回路２０２１に供給する。
なお、ＣＤの本来のサンプリング周波数は、上述のように、４４．１（ｋＨｚ）であるが、サンプリング周波数変換回路１９０でサンプリング周波数が４８（ｋＨｚ）に予め変換されているため、スイッチング周波数が４８（ｋＨｚ）の倍数であっても、スイッチング及び増幅動作に問題は生じない。
【００７４】
電力増幅回路２０２１は、ＰＷＭ信号生成回路２０１３から供給されたＰＷＭ信号を増幅し、増幅したＰＷＭ信号をＬＰＦ２０２２に供給する。このとき、スイッチング動作により、電磁波が発生するが、前述のように、スイッチング周波数が、受信ＡＭ信号と干渉を起こさない周波数に設定されているので、受信ＡＭ信号にノイズが重畳する等の問題は発生しない。
【００７５】
ＬＰＦ２０２２は、電力増幅回路２０２１から供給されたＰＷＭ信号をアナログ信号に変換し、スピーカ２１０から音声を出力する。なお、スイッチング周波数が、受信ＡＭ信号と干渉を起こさない周波数に設定されているので、受信周波数にかかわらず、録音中のＡＭ放送信号にスイッチング動作に起因するノイズが重畳する等の問題は発生しない。
【００７６】
以上例示したように、ＡＭ放送を受信している際には、デジタルアンプ２００のスイッチング周波数が、受信対象のＡＭ信号と干渉を起こさない周波数に設定される。従って、受信周波数にかかわらず、受信中のＡＭ放送信号にスイッチング動作に起因するノイズが重畳する等の問題は発生しない。
また、サンプリング周波数が４８（ｋＨｚ）に固定されるため、スイッチング周波数を４８（ｋＨｚ）の倍数に固定でき、サンプリング周波数毎に変換テーブル２０１４を用意するといった無駄を防止できる。
【００７７】
なお、ＡＭ放送を受信中に、光ディスク再生装置１６０がＤＶＤ又はＢＤを再生する場合において、再生して得られるデジタル信号のサンプリング周波数が４８（ｋＨｚ）であった場合、マイコン１１０は、セレクタ１８０から供給されたサンプリング周波数＝４８（ｋＨｚ）のＤＶＤ又はＢＤのデジタル信号に応答して、サンプリング周波数が４８（ｋＨｚ）であると判別し、サンプリング周波数の変換を指示しないハイレベルのサンプリング周波数変換制御信号をサンプリング周波数変換回路１９０に供給する。サンプリング周波数変換回路１９０は、ハイレベルのサンプリング周波数変換制御信号に応答して、サンプリング周波数の変換をせずに、セレクタ１８０から供給されたＤＶＤ又はＢＤのデジタル信号をそのままデジタルアンプ２００に供給する。デジタルアンプ２００は、サンプリング周波数変換回路１９０から供給されたデジタル信号を増幅し、増幅したデジタル信号をアナログ信号に変換し、変換によって得られたアナログ信号を音声としてスピーカ２１０から出力する。
【００７８】
また、ＡＭ放送を受信中に、テレビジョンチューナ１５０がアナログＢＳ／ＣＳ放送を受信・再生する場合、出力されるデジタル信号のサンプリング周波数は３２（ｋＨｚ）である。この場合、マイコン１１０は、サンプリング周波数が４８（ｋＨｚ）ではないと判別し（ステップＳ２；Ｎｏ）、サンプリング周波数の変換を指示するローレベルのサンプリング周波数変換制御信号をサンプリング周波数変換回路１９０に供給する。サンプリング周波数変換回路１９０は、ローレベルのサンプリング周波数変換制御信号に応答して、サンプリング周波数を４８（ｋＨｚ）に変換し、デジタルアンプ２００に供給する。デジタルアンプ２００は、サンプリング周波数変換回路１９０から供給されたデジタル信号を、受信中のＡＭ放送を妨害しなしスイッチング周波数で増幅し、増幅したデジタル信号をアナログ信号に変換し、変換によって得られたアナログ信号を音声としてスピーカ２１０から出力する。
【００７９】
なお、ＡＭ信号を受信していない状態で、例えば、ＤＶＤ、ＢＤ等のサンプリング周波数が４８（ｋＨｚ）の音源を再生する場合、ステップＳ１でＮｏ、ステップＳ７でＹｅｓと判別され、サンプリング周波数変換回路１９０は、サンプリング周波数を変換することなく、再生信号を通過させ、デジタルアンプ２００は、固定のスイッチング周波数、例えば、３８４（ｋＨｚ）（＝４８×８（ｋＨｚ））でデジタル信号をＰＷＭ信号に変換し、スイッチングを行って増幅する。
【００８０】
また、ＡＭ信号を受信していない状態で、例えば、ＣＤ等のサンプリング周波数が４８（ｋＨｚ）以外の音源を再生する場合、ステップＳ１とＳ７でＮｏと判別され、サンプリング周波数変換回路１９０は、サンプリング周波数を変換し、デジタルアンプ２００は、固定のスイッチング周波数、例えば、３８４（ｋＨｚ）でデジタル信号をＰＷＭ信号に変換し、スイッチングを行って増幅する。
【００８１】
以上、説明したように、オーディオ装置１０は、ＡＭラジオ放送を受信する場合には、デジタルアンプ２００のスイッチング周波数が、ＡＭラジオ放送の受信に干渉しない周波数に選定される。従って、スイッチング周波数の干渉を受けずに、ＡＭ放送を受信することができる。
また、音声から供給されるデジタル信号のサンプリング周波数が４８（ｋＨｚ）以外の周波数の場合には、サンプリング周波数を４８（ｋＨｚ）に変換する。従って、スイッチング周波数は、１つのサンプリング周波数のみに対応するだけでよく、構成が簡略化される。
【００８２】
また、サンプリング周波数毎に、変換テーブル２０１４を用意する必要がなく、変換テーブル２０１４の容量を小さくすることができる。
【００８３】
（実施形態２）
上記実施形態１においては、ＡＭ放送を受信している間、受信信号に影響を与えない値にスイッチング周波数を調整したが、特定の動作場面でのみ、この機能を稼働させるようにすることも可能である。
以下、ラジオチューナ１４０が、受信周波数を所定の周波数の範囲でスキャンし、受信状態が良好な受信周波数を選択して、その周波数をメモリに記憶するプリセット処理を実行している間のみＡＭラジオの電波干渉を防ぐ構成例について説明する。
【００８４】
本実施形態においては、ラジオチューナ１４０は、受信信号強度（ＲＳＳＩ）を測定する受信信号強度測定部を備える。
また、ＰＷＭモジュレータ２０１には、図１０に示すような、変換テーブル２０１４Ａが格納されている。この変換テーブル２０１４Ａは、受信周波数帯とその受信周波数帯の信号の受信に悪影響（ノイズ）を与えないスイッチング周波数とが対応付けて記憶されている。
【００８５】
受信周波数をプリセットしたい場合に、ユーザは、操作部１２０を操作して、その旨を指示する。マイコン１１０は、この操作に応答して、図９に示す受信周波数プリセット処理を開始する。
まず、マイコン１１０は、ラジオチューナ１４０の受信周波数ｆを、予め設定されている受信周波数帯の下限値ｆＬに設定する（ステップＳ２１）。
【００８６】
続いて、マイコン１１０は、ＡＭ放送受信中信号をオンすると共に受信周波数ｆをＰＷＭ制御部２０１１に供給することにより、スイッチング周波数を選択する（ステップＳ２２）。ＡＭ放送受信中信号に応答して、ＰＷＭ制御部２０１１は、図８に示すクロック周波数変更処理を実行し、スイッチング周波数を選択する。デジタルアンプ２００が稼働中でも、電磁波に影響されずに、ＡＭ放送を受信できる。
続いて、マイコン１１０は、ラジオチューナ１４０により、周波数ｆの信号を受信し、その信号強度を測定する（ステップＳ２３）。
【００８７】
続いて、マイコン１１０は、受信信号強度が基準レベル以上であるか否かを判別する（ステップＳ２４）。受信信号強度が基準レベル以上であると判別した場合（ステップＳ２４；Ｙｅｓ）、その周波数を受信周波数の１つとしてプリセットする（ステップＳ２５）。一方、受信信号強度が基準レベル未満であると判別した場合（ステップＳ２４；Ｎｏ）、ステップＳ２５をスキップする。
【００８８】
続いて、受信周波数ｆが、受信周波数帯域の上限周波数ｆＵに達したか否かを判別する（ステップＳ２６）。
受信周波数ｆが上限周波数ｆＵに達していると判別した場合（ステップＳ２６；Ｙｅｓ）、マイコン１１０は、ＡＭ放送受信中信号をオフすることにより、スイッチング周波数を所定値にセットする（ステップＳ２７）。これにより、クロック生成回路２０１２が生成するクロック信号ＣＬＫの周波数及び電力増幅回路２０２１のスイッチング周波数は、規定の固定周波数に戻る。
【００８９】
一方、受信周波数ｆが上限周波数ｆＵに達していないと判別した場合（ステップＳ２６；Ｎｏ）、マイコン１１０は、受信周波数ｆに所定の微小周波数Δｆを加算して、新たな受信周波数ｆを設定し（ステップＳ２８）、ステップＳ２２にリターンする。
以後、同様の動作を繰り返す。
【００９０】
以上、説明したように、本実施形態のオーディオ装置１０は、ラジオチューナ１４０が、プリセット動作を行っている間に、他の音源を再生する場合でも、デジタルアンプ２００で発生する電磁波によるＡＭラジオの電波干渉を抑えることができ、真に受信状態が良好な受信周波数をプリセットすることができる。
【００９１】
（実施形態３）
ラジオ放送を受信できる場合にのみ、このラジオ放送と同一又は対応する内容のＩＰ放送を提供するサービスが提案されている。このようなサービスにおいては、ラジオ放送を適切に受信できるか否かを適切に判断する必要があり、ノイズの影響が少ないことが望まれる。そこで、このような本願発明を応用した実施形態を説明する。
【００９２】
この場合、例えば、ユーザが受信対象のＡＭラジオ放送を指定すると、マイコン１１０は、図１１に示すＩＰ放送受信処理を開始し、まず、ラジオチューナ１４０に受信対象の放送の周波数を設定する（ステップＳ３１）。
【００９３】
続いて、マイコン１１０は、ＡＭ放送受信中信号をオンすると共に受信周波数ｆをＰＷＭ制御部２０１１に供給することにより、スイッチング周波数を選択する。（ステップＳ３２）。ＡＭ放送受信中信号に応答して、ＰＷＭ制御部２０１１は、図８に示すクロック周波数変更処理を実行する。これにより、他の音源からのデータが再生中で、デジタルアンプ２００が稼働中でも、その動作により、受信信号が影響されずに、ＡＭ放送を受信できる。
【００９４】
続いて、マイコン１１０は、ラジオチューナ１４０により、受信対象の信号を受信し、その信号強度を測定する（ステップＳ３３）。
【００９５】
続いて、マイコン１１０は、受信信号強度が基準レベル以上であるか否かを判別する（ステップＳ３４）。受信信号強度が基準レベル以上であると判別した場合（ステップＳ３４；Ｙｅｓ）、有線ネットワークを介してＩＰ放送に接続する（ステップＳ３５）。一方、受信信号強度が基準レベル未満であると判別した場合（ステップＳ３４；Ｎｏ）、ＩＰ放送への接続不可を報知する（ステップＳ３６）。
【００９６】
このような構成によれば、デジタルアンプ２００のスイッチング動作により発生する電磁波の影響を受けることなく、ＡＭラジオ放送の受信信号強度を測定でき、ＩＰ放送を受信可能か否かを適切に判断することができる。
【００９７】
この発明は上記の実施形態に限定されず、種々の変形及び応用が可能である。例えば、上記説明において示したハードウェアの構成及び動作は一例でありこれらに限定されるものではなく、適宜変更及び応用が可能である。
音源として、ラジオチューナ、テレビジョンチューナ、光ディスク（ＣＤ、ＤＶＤ、ＢＤ等）、ＨＤＤ等を例示したが、他の任意の音源を配置可能である。
【００９８】
上記実施形態では、サンプリング周波数変換回路１９０は、セレクタ１８０から供給されたデジタル信号のサンプリング周波数を４８（ｋＨｚ）に変換しているが、変換後のサンプリング周波数は４８（ｋＨｚ）に限定されず、ＡＭ受信信号のサンプリング周波数と同一ならば、任意である。
【００９９】
上記実施形態では、サンプリング周波数変換回路１９０と、デジタルアンプ２００と、を別々の構成としたが、デジタルアンプ２００がサンプリング周波数変換回路１９０を備えるようにしてもよい。
また、上記実施形態では、サンプリング周波数変換回路１９０が、サンプリング周波数を適宜変更しているが、マイコン１１０が所定のソフトウェアを実行することにより、サンプリング周波数を変更してもよい。
【０１００】
上記実施形態では、デジタルアンプ２００が、主に、ＣＤのデジタル信号を増幅する場合を例にしてオーディオ装置１０の動作を説明したが、増幅するデジタル信号の音源はＣＤに限定されず、例えば、ＤＶＤ、ＢＤであってもよい。また、セレクタ１８０にアナログのＢＳ／ＣＳチューナを接続し、これを音源としてもよい。この場合、ＤＶＤ及びＢＤのサンプリング周波数は、主に４８（ｋＨｚ）であり、アナログのＢＳ／ＣＳチューナのサンプリング周波数は３２（ｋＨｚ）である。
また、ＨＤＤ１７０がＷＡＶ、ＭＰ３等の音声ファイルを再生して得られたデジタル信号を音源としてもよい。この場合、音声ファイルのサンプリング周波数は、４８ｋＨｚ、４４．１ｋＨｚ、３２ｋＨｚに限定されず、任意である。
【０１０１】
上記実施形態では、閾値Ｔｈ＝１０（ｋＨｚ）としたが、閾値Ｔｈはこれに限定されず、スイッチング周波数の整数倍と受信周波数との差が閾値Ｔｈ以上の場合に、ＡＭラジオ放送の電波干渉が生じなければよい。
【０１０２】
上記実施形態では、オーディオ装置１０は、ユーザの操作に応答して、ＡＭラジオ放送の録音を開始又は終了しているが、一般的な予約機能によりＡＭラジオ放送の録音を開始又は終了してもよい。
【符号の説明】
【０１０３】
１０      再生装置
１１０    マイコン
１２０    操作部
１３０    表示部
１４０    ラジオチューナ
１５０    テレビジョンチューナ
１６０    光ディスク再生装置
１７０    ＨＤＤ
１８０    セレクタ
１９０    サンプリング周波数変換回路
１９１    サンプリング周波数変換器
２００    デジタルアンプ
２０１    ＰＷＭモジュレータ
２０２    パワーステージ
２１０    スピーカ
２０１１  ＰＷＭ制御部
２０１２  クロック生成回路
２０１３  ＰＷＭ信号生成回路
２０１４  変換テーブル
２０２１  電力増幅回路
２０２２  ＬＰＦ
【図１】
2012089957.tif 000003
【図２】
2012089957.tif 000004
【図３】
2012089957.tif 000005
【図４】
2012089957.tif 000006
【図５】
2012089957.tif 000007
【図６】
2012089957.tif 000008
【図７】
2012089957.tif 000009
【図８】
2012089957.tif 000010
【図９】
2012089957.tif 000011
【図１０】
2012089957.tif 000012
【図１１】
2012089957.tif 000013